(57)【要約】【課題】  信頼性が高く、かつ子供が操作することが困難であるチャイルド・レジスタント機能を備えたガスライターを提供すること。【解決手段】  本発明のチャイルド・レジスタント・ガスライターは着火スリーブ４１と安全キャップ４２とを備えており、該着火スリーブ４１は該スリーブ４１に形成されたスリット４１１を有し、安全キャップ４２は、押圧面４２１と、該押圧面４２１の反対側に摺動面４２２と、該摺動面４２２に形成されるとともに該スリット４１１に挿入され、かつ該スリット４１１内にて該安全キャップ４２を摺動させる案内バー４２３と、を有する。使用時において、使用者は、安全キャップ４２が火炎用カバー６０の頂部面６１に妨げられなくなる位置まで安全キャップ４２を親指で付勢バネ４２８に反して移動させて、安全キャップ４２を押し下げる。【選択図】      図２
2007240139.tif 000002
【特許請求の範囲】
【請求項１】
チャイルド・レジスタント・ガスライターであって、
液化した気体燃料を含む燃料貯蔵チャンバと、
前記燃料貯蔵チャンバに取り付けられた上方に上昇可能なガス放出ノズルと、
前記燃料貯蔵チャンバに取り付けられた圧電ユニットであって下方に押した場合に該圧電ユニットを始動して着火のためのスパークを生成することが可能な圧電ボタンを有する圧電ユニットと、
前記燃料貯蔵チャンバに固定して取り付けられた一対のピラーと、
前記一対のピラーに摺動可能に取り付けられた着火スリーブを有する着火トリガーであって、前記着火スリーブは下方へ押圧すると一対のピラーに対して摺動可能であり、かつ解放すると押圧していない位置に再び戻すことが可能である着火トリガーと、
前記燃料貯蔵チャンバに回動可能に取り付けられたレバーであって、前記着火トリガーを下向きに押すとガス放出ノズルを上昇させて気体燃料を放出し、かつ同時に前記圧電ボタンを押圧してスパークを発生させるために前記圧電ユニットを始動するレバーと、
頂部面を有するとともに前記燃料貯蔵チャンバに装着され、かつ前記一対のピラーに固定される火炎用カバーと、を備え、
前記ガスライターは、
前記着火スリーブに画定されるスリットと、
安全キャップと、を備えることを特徴としており、前記安全キャップは、押圧面と、該押圧面の反対側にある摺動面と、前記摺動面に形成されるとともに前記スリットに挿入され、かつ前記スリット内にて前記安全キャップを摺動可能にする案内バーと、前記案内バーに形成されるとともに摺動時に前記安全キャップが前記着火スリーブから脱落するのを回避することが可能な一対のストッパと、前記案内バーに形成されたポールと、前記ポールに装着されて前記安全キャップを前記着火スリーブに対して付勢する付勢バネと、前記安全キャップの第一の端部付近に備えられた肩部と、を有する、チャイルド・レジスタント・ガスライター。
【請求項２】
前記チャイルド・レジスタント・ガスライターは前記燃料貯蔵チャンバを収容するためのハウジングを有する、請求項１に記載のチャイルド・レジスタント・ガスライター。
【請求項３】
前記安全キャップの押圧面は親指で移動させた際にすべりを回避するための隆起部を有する、請求項１に記載のチャイルド・レジスタント・ガスライター。
【請求項４】
前記安全キャップの押圧面は親指で移動させた際にすべりを回避するための隆起部を有する、請求項２に記載のチャイルド・レジスタント・ガスライター。
【請求項５】
前記火炎用カバーは前記安全キャップの前記肩部を受承するための凹部を更に有し、前記火炎用カバーの前記頂部面を前記安全キャップの頂部面と同一平面とする、請求項１に記載のチャイルド・レジスタント・ガスライター。
【請求項６】
前記チャイルド・レジスタント・ガスライターは前記燃料貯蔵チャンバを収容するためのハウジングを有する、請求項５に記載のチャイルド・レジスタント・ガスライター。
【請求項７】
前記安全キャップの押圧面は親指で移動させた際にすべりを回避するための隆起部を有する、請求項５に記載のチャイルド・レジスタント・ガスライター。
【請求項８】
前記安全キャップの押圧面は親指で移動させた際にすべりを回避するための隆起部を有する、請求項６に記載のチャイルド・レジスタント・ガスライター。
【発明の詳細な説明】
【技術分野】
【０００１】
本発明は、チャイルド・レジスタント・ガスライターに関し、より詳細には、不慮の着火を防止する点においてより信頼性の高いガスライターに関する。
【背景技術】
【０００２】
ライターの技術分野では、簡単な装置でありながら、ライターが不慮に着火されることを防ぐ信頼性の高いチャイルド・レジスタント機能を備えた装置を開発し続けてきた。
そのようなライターは、発明の名称が「安全装置を備えた電子ライター（Ｅｌｅｃｔｒｏｎｉｃ  Ｌｉｇｈｔｅｒ  ｗｉｔｈ  Ａ  Ｓａｆｅｔｙ  Ｄｅｖｉｃｅ）」である特許文献１に開示されている。該ライターは上部カバーから構成される押しボタン式手段を備え、該上部カバーは押圧シリンダの二つのフック状端部を有し、それにより、ライターを使用しない場合には、該上部カバーのフック状端部は第二のガイドスロットの各々の上端付近の段差部によって保持される。
【０００３】
上記特許文献１に記載のライターには欠点がある。該ライターを使用する方法を熟知していない使用者は、従来のガスライターを使用する場合のように通常の力を加えただけでは着火しないために該ライターを着火させようと押す力を更に強くしてしまう可能性が高いであろう。しかしながら、安全用の二つのフック状端部の構造は非常に薄いために、より大きな応力に耐え得ることはできない。実際に、使い方を熟知していない使用者が上部カバーを無理に押し下げた場合、二つのフック状端部のうちの一方又は両方が破損してしまい、安全装置としての機能を果たさなくなってしまうことになる。即ち、安全装置の信頼性という点においてはあまり満足のゆくものではないことを意味する。
【特許文献１】米国特許第５８３９８９２号明細書
【発明の開示】
【発明が解決しようとする課題】
【０００４】
本発明の目的は、より信頼性の高い安全装置を備えたチャイルド・レジスタント・ガスライターを提供することにある。
本発明の別の目的は、子供が着火方法を理解することが難しく、よって子供にとってより安全であるチャイルド・レジスタント・ガスライターを提供することにある。
【課題を解決するための手段】
【０００５】
上記目的を達成するために、本発明の請求項１に記載の発明は、チャイルド・レジスタント・ガスライターであって、液化した気体燃料を含む燃料貯蔵チャンバと、該燃料貯蔵チャンバに取り付けられた上方に上昇可能なガス放出ノズルと、燃料貯蔵チャンバに取り付けられた圧電ユニットであって、下方に押した場合に該圧電ユニットを始動して着火のためのスパークを生成することが可能な圧電ボタンを有する圧電ユニットと、燃料貯蔵チャンバに固定して取り付けられた一対のピラーと、該一対のピラーに摺動可能に取り付けられた着火スリーブを有する着火トリガーであって、該スリーブは下方へ押圧すると一対のピラーに対して摺動可能であり、かつ解放すると押圧していない位置に再び戻すことが可能である着火トリガーと、燃料貯蔵チャンバに回動可能に取り付けられたレバーであって、着火トリガーを下向きに押すとガス放出ノズル上昇させて気体燃料を放出し、かつ同時に圧電ボタンを押圧してスパークを発生させるために圧電ユニットを始動するレバーと、該着火スリーブに画定されるスリットと、頂部面を有するとともに燃料貯蔵チャンバに装着され、かつ一対のピラーに固定される火炎用カバーと、安全キャップであって、押圧面と、該押圧面の反対側にある摺動面と、該摺動面に形成されるとともに該スリットに挿入され、かつ該スリット内にて該安全キャップを摺動可能にする案内バーと、該案内バーに形成されるとともに摺動時に該安全キャップが該着火スリーブから脱落するのを回避することが可能な一対のストッパと、該案内バーに形成されたポールと、該ポールに装着されて該安全キャップを該着火スリーブに対して付勢する付勢バネと、該安全キャップの第一の端部付近に備えられた肩部と、を有する安全キャップと、を有するチャイルド・レジスタント・ガスライターを提供する。
【０００６】
請求項２に記載の発明は、請求項１に記載のチャイルド・レジスタント・ガスライターにおいて、該チャイルド・レジスタント・ガスライターが燃料貯蔵チャンバを収容するためのハウジングを有することをその要旨とする。
【０００７】
請求項３に記載の発明は、請求項１に記載のチャイルド・レジスタント・ガスライターにおいて、該安全キャップの押圧面は親指で移動させた際にすべりを回避するための隆起部を有することをその要旨とする。
【０００８】
請求項４に記載の発明は、請求項２に記載のチャイルド・レジスタント・ガスライターにおいて、該安全キャップの押圧面は親指で移動させた際にすべりを回避するための隆起部を有することをその要旨とする。
【０００９】
請求項５に記載の発明は、請求項１に記載のチャイルド・レジスタント・ガスライターにおいて、該火炎用カバーが該安全キャップの該肩部を受承するための凹部を更に有し、かつ該火炎用カバーの該頂部面を該安全キャップの頂部面と同一平面とすることをその要旨とする。
【００１０】
請求項６に記載の発明は、請求項５に記載のチャイルド・レジスタント・ガスライターにおいて、該チャイルド・レジスタント・ガスライターが該燃料貯蔵チャンバを収容するためのハウジングを有することをその要旨とする。
【００１１】
請求項７に記載の発明は、請求項５に記載のチャイルド・レジスタント・ガスライターにおいて、該安全キャップの押圧面は親指で移動させた際にすべりを回避するための隆起部を有することをその要旨とする。
【００１２】
請求項８に記載の発明は、請求項６に記載のチャイルド・レジスタント・ガスライターにおいて、該安全キャップの押圧面は親指で移動させた際にすべりを回避するための隆起部を有することをその要旨とする。
【発明の効果】
【００１３】
本発明により、子供が操作することが困難であるチャイルド・レジスタント機能を備えたガスライターであって、より安全かつ信頼性の高いガスライターが得られる。
【発明を実施するための最良の形態】
【００１４】
本発明のこれらの目的及びその他の目的、特徴並びに利点は、以下に示す詳細な説明、それに伴う図面及び添付した請求の範囲から明らかであろう。
図１及び２を参照すると、本発明のチャイルド・レジスタント・ライターは、液化した気体燃料を含む燃料貯蔵チャンバ１０と、該燃料貯蔵チャンバ１０に取り付けられた上方に上昇可能なガス放出ノズル２０と、圧電ユニット３０と、燃料貯蔵チャンバ１０に固定して取り付けられた一対のピラー１１と、着火トリガー４０と、レバー５０と、火炎用カバー６０とを備える。
【００１５】
圧電ユニット３０は、燃料貯蔵チャンバ１０に固定して取り付けられており、下方に押した場合に該圧電ユニット３０を始動して着火のためのスパークを生成することが可能な圧電ボタン３１を有する。着火トリガー４０は、該一対のピラー１１に摺動可能に取り付けられた着火スリーブ４１を有する。該着火スリーブ４１は下方へ押圧すると一対のピラー１１に対して摺動可能であり、かつ解放すると押圧していない位置に再び戻すことが可能なである。レバー５０は、燃料貯蔵チャンバ１０に回動可能に取り付けられており、該レバー５０は、着火トリガーモジュール４０を下向きに押すとガス放出ノズル２０を上昇させて気体燃料を放出し、かつ同時に圧電ボタン３１を押圧してスパークを発生させるために圧電ユニット３０を始動する。火炎用カバー６０は、頂部面６１を有し、かつ燃料貯蔵チャンバ１０に装着されるとともに一対のピラー１１に固定される。ガス放出ノズル２０は、放出される気体燃料が圧電ユニット３０から発生するスパークによって容易に着火できるように配置されている。
【００１６】
図２乃至４に示されるように、着火スリーブ４１にはスリット４１１が画定されている。該スリット４１１は開口端部４１２と閉鎖端部４１３とを有する。着火トリガー４０は、押圧面４２１と、該押圧面４２１の反対側に摺動面４２２と、を有する安全キャップ４２を更に有する。安全キャップ４２は、該摺動面４２２に形成される案内バー４２３を有する。案内バー４２３は、ガス放出ノズル２０に近接した第一の端部４２４と、該第一の端部４２４と相対向する側に第二の端部４２５と、を有する。案内バー４２３の第二の端部４２５は、スリット４１１の開口端部４１２に挿入可能であり、それにより案内バー４２３がスリット４１１内にて摺動可能となる。案内バー４２３の第一の端部４２４付近には一対のストッパ４２６が形成されており、摺動時に着火スリーブ４１から安全キャップ４２が落ちることを回避する。案内バー４２３にはポール４２７が形成されており、付勢バネ４２８が装着されている。安全キャップ４２は更に、第一の端部４２４付近に肩部４２０を有する。組立時において、案内バー４２３の第二の端部４２５が最初にスリット４１１の開口端部４１２に挿入される。次に、着火スリーブ４１が燃料貯蔵チャンバ１０内に挿入される。次に、火炎用カバー６０が燃料貯蔵チャンバ１０及び一対のピラー１１に取り付けられるまで、安全キャップ４２を親指でスリットの開口端部４１２から閉鎖端部４１３に向かう方向に移動させる。次に、安全キャップ４２を放して、該安全キャップ４２の肩部４２０が火炎用カバー６０の頂部面６１でちょうど停止するまでスリット４１１に沿って摺動させる。
【００１７】
図１を再び参照すると、使用時において、安全キャップ４２を直接下向きに押しても、該安全キャップ４２の肩部４２０が火炎用カバー６０の頂部面６１によりブロックされるので、ライターは着火しない。ライターを着火させるには、使用者は安全キャップ４２を親指で付勢バネ４２８に抗する方向に移動させて、該安全キャップ４２が火炎用カバー６０の頂部面６１によりブロックされなくなった時点で該安全キャップ４２を押し下げる必要がある。着火した後、使用者は安全キャップ４２を離すことができる。付勢バネ４２８からの付勢力下に移動される前に、着火スリーブ４１を摺動させて戻し、安全キャップ４２を元の位置に戻す。
【００１８】
本発明のライターは、燃料貯蔵チャンバ１０を収容するためのハウジング（図示しない）を備えることができる。図示されているように、安全キャップ４２の押圧面４２１は親指で移動させる際のすべりを回避するための隆起部４２９を備えることもできる。
【００１９】
図６は本発明の別の実施形態を示す。この実施形態において、火炎用カバー６０’は安全キャップ４２’の肩部４２０’を収容するための凹部６２’を有し、それにより火炎用カバー６０’の頂部面６１’が安全キャップ４２’の頂部面と同一平面になる。
【００２０】
本発明の図面に示され、かつ上記記載された実施形態は例示のみのものであり、本発明を制限することを意図していない。
上述の記載から、本発明の目的は完全かつ有効に達成されたことがわかる。本発明の実施形態は、本発明の機能的原理と構造的原理を示す目的のために図示され、記載されたものであり、本発明の原理を逸脱することなく変更され得る。従って、本発明は、以下に添付されたクレームの精神及び範囲内に包含される全ての変更例を含む。
【図面の簡単な説明】
【００２１】
【図１】本発明のチャイルド・レジスタント・ガスライターの好ましい実施形態の斜視図である。
【図２】図１に示される本発明のチャイルド・レジスタント・ガスライターの分解斜視図である。
【図３】図１に示される本発明の安全キャップの側面図である。
【図４】図１に示される本発明の安全キャップの底面図である。
【図５】図１に示される本発明の着火スリーブの側面図である。
【図６】本発明の別の好ましい実施形態の部分側面図である。
【符号の説明】
【００２２】
１０…燃料貯蔵チャンバ、１１…ピラー、２０…ガス放出ノズル、３０…圧電ユニット、３１…圧電ボタン、４０…着火トリガー、４１…着火スリーブ、４１１…スリット、４１２…開口端部、４１３…閉鎖端部、４２，４２’…安全キャップ、４２０，４２０’…肩部、４２１…押圧面、４２２…摺動面、４２３…案内バー、４２４…第一の端部、４２５…第二の端部、４２６…ストッパ、４２７…ポール、４２８…付勢バネ、４２９…隆起部、５０…レバー、６０，６０’…火炎用カバー、６１，６１’…頂部面。
【図１】
2007240139.tif 000003
【図２】
2007240139.tif 000004
【図３】
2007240139.tif 000005
【図４】
2007240139.tif 000006
【図５】
2007240139.tif 000007
【図６】
2007240139.tif 000008